(57)【要約】      （修正有）【課題】時計師が、ねじがねじ込まれるテンプの外縁に対して、このねじが占める位置を特定するまたは評価することを可能にするねじを提供する。【解決手段】調節ねじ１、具体的には時計仕掛け振動子のテンプの慣性を調節するための調節ねじ１であり、この調節ねじ１は、長手方向軸３を備え、この調節ねじ１はまた、ある部材、特にねじがねじ込まれるテンプに対して、ねじの長手方向の位置を示す少なくとも１つの基準Ａ１、Ａ２、Ａ３の第１のセットＡ０を備える。【選択図】図２
2014122902.tif 000002
【特許請求の範囲】
【請求項１】
調節ねじ（１）、具体的には時計仕掛け振動子のテンプ（２）の慣性を調節するためのねじであって、長手方向軸（３）を備え、ある部材、特に前記ねじがねじ込まれるテンプに対して、前記ねじの長手方向の位置を示す少なくとも１つの基準（Ａ１、Ａ２、Ａ３）の第１のセット（Ａ０）をさらに備える調節ねじ。
【請求項２】
前記ねじの長手方向の位置を示す前記基準（Ａ１、Ａ２、Ａ３）が、前記長手方向軸に直交する面（Ｐ１）内に少なくとも実質的に配置される、請求項１に記載の調節ねじ。
【請求項３】
前記ねじの長手方向の位置を示す前記１つの基準または複数の基準の各々が、前記ねじの周辺部に延びる連続または不連続の環状の目印を備える、請求項１または２に記載の調節ねじ。
【請求項４】
前記目印が、溝および／または肩部および／またはくぼみを含む、請求項３に記載の調節ねじ。
【請求項５】
前記目印が、前記ねじの本体（１０）上、特に前記本体の円筒形または略円筒形の部分（５）に形成される、請求項３または４に記載の調節ねじ。
【請求項６】
前記第１のセットが、前記ねじの長手方向の位置を示す複数の基準、特に長手方向に均等にまたはほぼ均等に分散された、前記ねじの長手方向の位置を示す２つ、３つ、４つ、５つまたは６つの基準を備える、請求項１から５のいずれか一項に記載の調節ねじ。
【請求項７】
前記ねじの長手方向の位置を示す２つの隣接する基準を隔てる距離が、前記ねじのピッチの倍数であり、特に前記ねじのピッチと等しい、請求項６に記載の調節ねじ。
【請求項８】
前記ねじが、前記部材、特に前記ねじがねじ込まれる前記テンプに対して、前記長手方向軸周りの前記ねじの角度位置を示す少なくとも１つの基準（Ｂ１、Ｂ２、Ｂ３）の第２のセット（Ｂ０）を備える、請求項１から７のいずれか一項に記載の調節ねじ。
【請求項９】
前記第２のセットが、前記ねじの角度位置を示す複数の基準、特に前記長手方向軸周りに角度を付けて均等にまたはほぼ均等に分散された、前記ねじの角度位置を示す２つ、３つ、４つ、５つまたは６つの基準を備える、請求項８に記載の調節ねじ。
【請求項１０】
前記ねじの角度位置を示す前記基準が、前記長手方向軸（３）に直交する面（Ｐ２）内に少なくとも実質的に配置される、請求項８または９に記載の調節ねじ。
【請求項１１】
前記ねじの角度位置を示す前記基準または前記複数の基準が各々、フライス加工部および／またはくぼみを含む、請求項８から１０のいずれか一項に記載の調節ねじ。
【請求項１２】
前記ねじを回すための駆動ソケット（１００）と、前記ねじを誘導するための要素（１０００）、特に孔（１０００）とを備える、請求項１から１１のいずれか一項に記載の調節ねじ。
【請求項１３】
請求項１から１２のいずれか一項に記載の少なくとも１つの調節ねじ（１）を備える時計仕掛けテンプ（２）。
【請求項１４】
請求項１３に記載のテンプ（２）または請求項１から１２のいずれか一項に記載の調節ねじ（１）を備えるムーブメント（３０）。
【請求項１５】
請求項１４に記載のムーブメント（３０）または請求項１３に記載のテンプまたは請求項１から１２のいずれか一項に記載の調節ねじを備える計時器（４０）、特に時計。
【発明の詳細な説明】
【技術分野】
【０００１】
本発明は、調節ねじに関し、とりわけ時計仕掛け振動子のテンプの慣性を調節するためのねじに関する。それはまた、少なくとも１つのそのような調節ねじを備えた時計仕掛けテンプに関する。最後に、本発明は、時計仕掛けムーブメントまたは計時器に関し、とりわけそのようなテンプまたはそのような調節ねじを備えた時計に関する。
【背景技術】
【０００２】
周辺部に配置された調節ねじを利用して、その慣性モーメントを調節することができるテンプが知られている。このタイプのデバイスはとりわけ、その振動子の基本周波数がテンプの慣性モーメントを介して調節される機械的な振動子内でのその利用が知られている。一般に、このようなテンプは、外縁、アーム、およびテンプの外縁に固定された特定の構成のねじまたは釣り合い重りを備え、これらをそれぞれの位置を調節することによって利用することでテンプの慣性モーメントを変えることができる。このような要素が、様々な質量を有することにより、時計仕掛けムーブメントの稼働をかなり細かく調節することを可能にし得る。このようなねじまたは釣り合い重りは、それぞれの位置を調節することが可能なキーまたはねじ回しを利用して位置決めされる。このような工具は一般に、テンプの外縁に対するねじまたは釣り合い重りのねじ込み動作または後退動作の指示を与える手段を備えている。しかしながらひとたびこの操作が実行されると、釣り合い重りの位置を特定することはもはや不可能である。
【０００３】
特許文献１は、テンプの外縁の外側からねじ込まれる調節ねじを備えることで、より調節し易くし、テンプの外縁に傷を付けるリスクを最小限にする可変慣性テンプに関するものである。このテンプは、外縁がねじヘッドを収容するための凹部を有するものである。よってねじヘッドを回転させやすく、ねじヘッドが外縁から突出することはない。しかしながら外縁の中に形成された凹部には、テンプの外縁に接触する可能性のある何らかのテンプ止めばねとマイナスの相互作用を有するというリスクがある。
【０００４】
特許文献２は、テンプの外縁の外側からねじ込まれ、その厚みに潜り込むヘッドレス調節ねじを備えたテンプに関するものである。この実施形態は有利には、外縁の周辺部から突出する、または外縁にある凹部に収容されるヘッドを備えたねじを装備したテンプに取って変わろうとするものである。
【０００５】
特許文献３は、テンプの内側に向かって半径方向に向けられた短い突起材を備え、その各々の中を、テンプの内側からねじ込まれる釣り合い重りを収容するためのねじ穴が貫通するテンプの外縁を開示している。この構成では、釣り合い重りの把持および保持がぎこちなく、そのため調節する際にテンプの外縁が傷つけられてしまう危険がある。
【先行技術文献】
【特許文献】
【０００６】
【特許文献１】スイス特許第１９６７０６号
【特許文献２】スイス特許第２６４６６９号
【特許文献３】欧州特許第１８３７７１９（Ｂ１）号
【発明の概要】
【発明が解決しようとする課題】
【０００７】
本発明の目的は、上記に挙げた問題を克服し、従来技術より知られたねじを改良する調節ねじを提供することである。詳細には、本発明は、時計師が、ねじがねじ込まれるテンプの外縁に対して、このねじが占める位置を特定するまたは評価することを可能にするねじを提供する。本発明はまた、このようなねじを備えたテンプ、またはさらにはこのようなテンプを備えたムーブメント、またはさらにはこのようなムーブメントを備えた計時器に関する。
【課題を解決するための手段】
【０００８】
本発明によるねじは、請求項１によって定義される。
【０００９】
ねじの種々の実施形態は、請求項２から１２によって定義される。
【００１０】
本発明によるテンプは、請求項１３によって定義される。
【００１１】
本発明による時計仕掛けムーブメントは、請求項１４によって定義される。
【００１２】
本発明による計時器は、請求項１５によって定義される。
【００１３】
添付の図面は、本発明によるねじの一実施形態を一例として描いている。
【図面の簡単な説明】
【００１４】
【図１】本発明による計時器の一実施形態の斜視図である。
【図２】本発明によるねじの一実施形態の斜視図であり、ねじの第１の端部から見た図である。
【図３】本発明によるねじの一実施形態の斜視図であり、ねじの他端から見た図である。
【図４】本発明によるテンプおよびねじの、ねじの長手軸に沿った部分断面図であり、ねじが第１の構成で外縁の所定の場所にある図である。
【図５】本発明によるテンプおよびねじの、ねじの長手軸に沿った部分断面図であり、ねじが第２の構成で外縁の所定の場所にある図である。
【図６】本発明によるテンプおよびねじの、ねじの長手軸に沿った部分断面図であり、ねじが第３の構成で外縁の所定の場所にある図である。
【発明を実施するための形態】
【００１５】
計時器４０の一実施形態が、図１を参照して以降に記載される。計時器は、例えば時計、とりわけ腕時計である。計時器は、機械的クロックムーブメント３０を含む。このムーブメント自体は、テンプ２と、戻しばね、とりわけひげぜんまい（図１には示されていない）とを含む振動子を備える。
【００１６】
テンプは主として、外縁２０と、穴が貫通するハブ２２と、機械的に外縁をハブに接続するスポーク２１とを備える。テンプは、例えば４つのスポークを有する。
【００１７】
有利には、外縁は、短い突起２００またはより厚みのある部分を有し、その各々をねじ穴８が貫通している。ねじ穴は好ましくは、半径方向に配向される。各々の穴は、ねじ１を収容するように意図されている。この短い突起によって、中でねじを誘導する、またはねじを正確に保持するのに十分に長い長さにわたって延在するねじ穴を設けることが可能になる。この短い突起は、外縁の外面２０２と、例えば軸３に直交する面である内面２０１との間に延在する。例えばテンプは、４つの短い突起２００を有し、その各々がねじ１を受け入れる。好みにより、短い突起２００およびねじ穴が、テンプのスポークの間に、あるいはスポークが外縁に接触する場所で、均等に分散される。このようにして、テンプの所与の外径に対して、外縁の所与の断面に関してねじ穴の長さを最大にすることができる。
【００１８】
したがってこのテンプは、調節ねじ１によって調節することができる慣性モーメントを有するタイプであり、この調節ねじは、その周辺部に配置されている。したがって外縁にねじ込まれるねじの範囲を変えることによって、振動子の基本周波数が、テンプの慣性モーメントを介して調節される。ねじの位置を調節することによって、テンプの慣性モーメントが変えられる。時計仕掛けムーブメントの稼働はこのようにかなり細かく調節することができる。このようなねじは、その位置を調節するのに利用することができるキーまたはねじ回しを使用して位置決めされる。
【００１９】
調節ねじ１の一実施形態が、図２から図６を参照して以下に記載される。第１の端部６と第２の端部７の間で、ねじは、ヘッド９および本体１０を備える。本体は、ねじ山付きの第１の部分４と、円筒形または略円筒形のねじ山の付いていない第２の部分５とを備える。好ましくは、このような調節ねじの数は４つである。それらは、金または白金などの高密度材料で作製されることが有利である。ヘッド９は、駆動ソケット１００を有し、この駆動ソケットは、特定の工具の少なくとも部分的に相補的な形状と対応し、時計師がこの工具を使用してねじを回すことを可能にするように設計されている。図２から図６に示される実施形態では、ヘッド９の直径は、ねじの本体１０の直径とほぼ等しく、とりわけねじの本体１０の円筒形部分５の直径とほぼ等しい。１つの代替形態として、ヘッド９の直径は、本体１０の直径と異なる場合もある。好ましくは、円筒形部分５の直径は、ねじの本体１０のねじ山付きの部分４の直径とほぼ同じである。
【００２０】
ねじは、長手方向軸３を有する。ねじは、ねじがねじ込まれるテンプに対してねじの長手方向の位置を示す少なくとも１つの基準Ａ１、Ａ２、Ａ３の第１のセットＡ０を備える。示される実施形態では、この第１のセットは、ねじの長手方向の位置を示す第１の基準Ａ１と、ねじの長手方向の位置を示す第２の基準Ａ２と、ねじの長手方向の位置を示す第３の基準Ａ３とを備える。
【００２１】
ねじの長手方向の位置を示す第１の基準Ａ１は、ねじの長手方向軸に直交する面Ｐ１内に配置される、または実質的に配置される。ねじの長手方向の位置を示す第２の基準Ａ２は、ねじの長手方向軸に直交し、面Ｐ１に平行な面内に配置される、または実質的に配置される。ねじの長手方向の位置を示す第３の基準Ａ３は、ねじの長手方向軸に直交し、面Ｐ１に平行な面内に配置される、または実質的に配置される。
【００２２】
ねじの長手方向の位置を示す第１の基準Ａ１は、ねじの周辺部、とりわけねじの周り全体に延びる連続または不連続の第１の環状の目印を備える。ねじの長手方向の位置を示す第２の基準Ａ２は、ねじの周辺部、とりわけねじの周り全体に延びる連続または不連続の第２の環状の目印を備える。ねじの長手方向の位置を示す第３の基準Ａ３は、ねじの周辺部、とりわけねじの周り全体に延びる連続または不連続の第３の環状の目印を備える。
【００２３】
第１の目印および／または第２の目印および／または第３の目印は、溝、くぼみまたは肩部を含むことができる。第１および第２の目印はここでは、溝を含む。第３の目印はここでは、肩部であり、とりわけねじ山の端部を示す肩部を含む。
【００２４】
第１の目印および／または第２の目印および／または第３の目印は、ねじ１の本体１０上に形成される。詳細には、第１の目印および／または第２の目印は、ねじ山付きの部分４に隣接する円筒形部分５に形成される。詳細には、第３の目印は、ねじ山付きの部分４に隣接する円筒形部分５の一端に形成される。
【００２５】
図２から図６に示されるねじにおいて、第１のセットＡ０は、ねじの長手方向の位置を示す第１の基準と、ねじの長手方向の位置を示す第２の基準と、ねじの長手方向の位置を示す第３の基準とを備える。しかしながら第１のセットは、ねじの長手方向の位置を示す２つ、４つ、５つまたは６つの基準を備える場合もある。ねじの長手方向の位置を示す基準は、長手方向に均等にまたはほぼ均等に分散される。有利には、ねじの長手方向の位置を示す２つの隣接する基準を隔てる距離は、ねじのピッチの倍数であり、とりわけねじのピッチと等しい。
【００２６】
ねじは、ねじがねじ込まれるテンプに対しての長手方向軸周りのねじの角度位置を示す少なくとも１つの基準Ｂ１、Ｂ２、Ｂ３の第２のセットＢ０を備える。図示の実施形態では、この第２のセットは、ねじの角度位置を示す第１の基準Ｂ１と、ねじの角度位置を示す第２の基準Ｂ２と、ねじの角度位置を示す第３の基準Ｂ３とを備える。
【００２７】
図２から図６に示されるねじにおいて、第２のセットは、ねじの角度位置を示す３つの基準を備える。しかしながら第２のセットは、ねじの角度位置を示す２つ、４つ、５つまたは６つの基準を備える場合もある。ねじの角度位置を示す基準は、ねじの長手方向軸周りに均等にまたはほぼ均等に分散される。好ましくは、ねじの角度位置を示す基準は、長手方向軸３に直交する面Ｐ２内に少なくとも実質的に配置され、ねじ１の本体１０上、とりわけねじ山付きの部分４に隣接する円筒形部分５に形成される。
【００２８】
ねじの角度位置を示す基準はそれぞれ、フライス加工部および／またはくぼみを含む。ねじの角度位置を示す基準はそれぞれ、特定の表示、例えば数字の表示で構成される。第１、第２および第３の目印はここでは、フライス加工部を含む。
【００２９】
ねじヘッドは、それを回すための駆動ソケット１００に加えて、ねじを誘導するための要素１０００、とりわけ孔１０００を備える。この誘導要素によってねじを工具の端部に嵌合させることができ、それによってこのねじをそれを受け入れるように意図されたねじ穴に誘導することができる。ねじは好ましくは、テンプ２の外縁２０の外側から回すことができる。ねじがひとたび所定の場所に収まると、そのヘッドは短い突起の中に潜り込み、本体１０は部分的に、テンプの外縁の短い突起の厚みの中に潜り込む。ねじはまた、外縁の内側から嵌合させることもできる。
【００３０】
第１のセットは、例えばテンプに対してねじの許容し得る長手方向の動きの大きさを示すように意図された２つの基準Ａ２、Ａ３を備える。ねじの長手方向の位置は好ましくは、基準を短い突起の面２０１と合わせて利用して読み取られる。図４から図６は、基準がこの面２０１と一致する様々な位置のねじを描いている。調節操作を行なう時計師は、このような情報から、テンプに対してねじの位置を特定することができる。さらに、時計師には、ねじのある基準が面２０１と一致する位置から、ねじの別の基準が面２０１に一致する位置に移動することによって、テンプの慣性の限定された変動または稼働における限定された変動を誘発することがわかり得る。好ましくは、基準Ａ１は、外縁に対する、とりわけ図４に示されるように外縁の短い突起の面２０１に対するねじの公称位置を示す。よって調節操作の前に、各々のねじは、この構成により理想的に位置決めすることができる。基準Ａ２は、テンプの慣性モーメントを最大にし、これにより所与の調節の範囲において振動子の減速作用を最大にするために、外縁に対して、とりわけ図５に示されるように外縁の短い突起の面２０１に対して、ねじがとることになる位置を示している。最後に基準Ａ３は、テンプの慣性モーメントを最小にし、これにより所与の調節の範囲において振動子の促進を最大にするために、外縁に対して、とりわけ図６に示されるように外縁の短い突起の面２０１に対して、ねじがとることになる位置を示している。
【００３１】
ねじの角度位置は、ねじが回転する際のねじの角度位置を示す基準の見え隠れによって読み取られる。ねじと外縁との接続は、らせん形型であるため、ねじの所与の長手方向の動きは、ねじの所与の角運動に対応する。
【００３２】
上記に記載した実施形態では、第１および第２のセットは、ねじの２つの別個の隣接領域に形成される。しかしながらこの構成は異なる場合もある。とりわけ、第１および第２のセットが、ねじ本体の１つの同一領域に形成される場合がある。
【００３３】
１つの代替形態として、テンプの外縁の外周部の凹部に収容されるように設計されたヘッドを備えたねじに上記に挙げた表示を形成することが考えられる。また、テンプの外縁の内周部から回すことができるねじにこのような表示を形成することも可能である。
【００３４】
種々の代替の形態では、ねじのソケット１００は好ましくは、ねじを好適な工具を利用して把持し回すことがより簡単になるように、六角形のソケットである。このソケットは有利には、この同一工具と協働し、それによってねじをそれ専用のねじ穴に誘導するのを容易にするように設計された孔１０００と組み合わされる。
【００３５】
本発明は、ねじがテンプの外縁に面するように配置されることにより、かつ好適な工具を利用してそれらの調節をより容易にするように設計されたその幾何学形状により、そのねじ調節が特に簡単である可変慣性テンプを実現することを可能にする。基準は、許容し得る調節の範囲を示しており、調節する際のねじの動きの大きさに関する情報も提供している。
【００３６】
本発明による調節ねじによって、調節操作がより容易になる。このような解決策は、その利用の単純さに関して特に有利である。
【００３７】
好ましくは異なる態様の実装形態および実施形態において、特定の部材に対するねじの長手方向の位置および／または角度位置を示す基準は、ねじ山、ヘッド、ヘッドベースもしくは肩部、または駆動凹部を含むような、ねじの基本的および／または機能的要素とは別個の要素である。したがってこの部材におけるねじの長手方向の位置および／または角度位置を示す基準は、目印または表示としての特有の要素であり、その機能またはその唯一の機能は、ねじの位置を示すことである。このような指示は、部材上の要素と協働することも可能である。
【００３８】
異なる態様の実装形態および実施形態において、テンプに形成されたねじ穴は、止まりねじ穴または貫通ねじ穴である。好ましくはねじ穴は、３６０度の全周にわたってテンプの材料内に完全に開口され、すなわちそれらには横方向の開口がなく、詳細には、ねじ上の基準と協働してテンプに対して相対的なねじの位置を示すように設計された横方向の開口を持たない。
【００３９】
既知の従来技術では、外縁に面したねじを位置付ける簡素な手段は存在しない。さらにねじは、容易には回転せず、調節する際、テンプの外縁を傷つける可能性がある。本発明のおかげで、時計師に、調節する際に自分が行なうねじの回転の割合を知らせることができる。このような表示は、調節操作をより容易にすることに寄与する。よって本発明は、その調節ねじが情報を保持する可変慣性テンプを提案する。さらに、このようなねじは、調節操作をできる限り簡素化するような方法で構成され位置決めされる。
【符号の説明】
【００４０】
１  調節ねじ
２  テンプ
３  長手方向軸
４  ねじ山付きの部分
５  円筒形部分
６  第１の端部
７  第２の端部
８  ねじ穴
９  ヘッド
１０  本体
２０  外縁
２１  スポーク
２２  ハブ
３０  機械的クロックムーブメント、ムーブメント
４０  計時器
１００  駆動ソケット、ソケット
２００  短い突起
２０１  内面、面
２０２  外面
１０００  孔
Ａ０  第１のセット
Ａ１  第１の基準
Ａ２  第２の基準
Ａ３  第３の基準
Ｂ０  第２のセット
Ｂ１  第１の基準
Ｂ２  第２の基準
Ｂ３  第３の基準
Ｐ１、Ｐ２  長手方向軸に直交する面
【図１】
2014122902.tif 000003
【図２】
2014122902.tif 000004
【図３】
2014122902.tif 000005
【図４】
2014122902.tif 000006
【図５】
2014122902.tif 000007
【図６】
2014122902.tif 000008
【外国語明細書】
2014122902000001.pdf
2014122902000002.pdf
2014122902000003.pdf
2014122902000004.pdf